(57)【要約】【課題】給紙カセットの設置数に拘らず、異なる種類の用紙を選択的に給紙する。【解決手段】複合機１は、原稿を読み取って画像データを取得する画像読取部８と、画像データに基づいて用紙に画像を形成する画像形成部１２と、複数種類の用紙を収納する給紙カセット３とを備える。そして、制御部２０は、原稿に所定の給紙情報が付加されている場合に、画像データに基づいて給紙情報を読み取る。また、制御部２０は、給紙情報に相当する用紙を給紙カセット３から画像形成部１２へ搬送する一方、給紙情報に相当しない用紙を給紙カセット３から画像形成部１２を経由することなく排紙するように用紙の搬送を制御する。【選択図】図１
2020134539.tif 000002
【特許請求の範囲】
【請求項１】
原稿を読み取って画像データを取得する画像読取部と、
前記画像データに基づいて用紙に画像を形成する画像形成部と、
複数種類の前記用紙を収納する給紙カセットと、を備え、
前記原稿に所定の給紙情報が付加されている場合に、前記画像データに基づいて前記給紙情報を読み取り、
前記給紙情報に相当する前記用紙を前記給紙カセットから前記画像形成部へ搬送する一方、前記給紙情報に相当しない前記用紙を前記給紙カセットから前記画像形成部を経由することなく排紙するように前記用紙の搬送を制御することを特徴とする画像形成装置。
【請求項２】
前記給紙カセットから搬送される前記用紙の種類を検出する用紙判別センサーを更に備え、
前記給紙情報は、前記用紙の種類を示していて、
前記給紙情報と前記用紙判別センサーが検出した前記用紙の種類とを比較することで、前記給紙カセットから搬送される前記用紙が前記給紙情報に相当するか否かを判定することを特徴とする請求項１に記載の画像形成装置。
【請求項３】
前記給紙情報は、前記給紙カセットにおける前記用紙の収納順を示していて、
前記給紙カセットから搬送される前記用紙の搬送順に基づいて前記収納順を判定し、前記給紙カセットから搬送される前記用紙が前記給紙情報に相当するか否かを判定することを特徴とする請求項１に記載の画像形成装置。
【請求項４】
前記給紙情報に相当しないと判定されて前記給紙カセットから排紙される前記用紙が所定の上限枚数に達した場合、前記給紙情報に相当する前記用紙の未検出をユーザーに通知することを特徴とする請求項１に記載の画像形成装置。
【発明の詳細な説明】
【技術分野】
【０００１】
本発明は、所望の用紙を画像形成部へ搬送する画像形成装置に関する。
【背景技術】
【０００２】
画像形成装置は、用紙に画像を形成する画像形成部と、画像形成部へ搬送される用紙を収納する給紙カセットとを備える。
【０００３】
例えば、特許文献１に記載の複写装置は、コピー原稿に適した特定の用紙を収納した給紙装置を予め特定し、コピー原稿作成時に、特定給紙装置を自動的に選択し、その給紙装置に収納された用紙によりコピー原稿を作成する。
【先行技術文献】
【特許文献】
【０００４】
【特許文献１】特開平２−１２１６５号公報
【発明の概要】
【発明が解決しようとする課題】
【０００５】
従来、画像形成装置は、様々な種類（地色や厚さ）の用紙に画像を形成するために、複数の給紙カセットを備えて、給紙カセット毎に異なる種類の用紙を収納する。そして、所望の種類の用紙を収納する給紙カセットから用紙が給紙されるように給紙が制御される。このように、複数の給紙カセットを備えることにより、異なる種類の用紙を選択的に給紙する。
【０００６】
しかしながら、画像形成装置は、コストや設置の都合上、複数の給紙カセットを備えることができない場合がある。複数の給紙カセットを備えていない画像形成装置は、異なる種類の用紙を選択的に給紙することができない。
【０００７】
そこで、本発明は上記の事情を考慮し、給紙カセットの設置数に拘らず、異なる種類の用紙を選択的に給紙することを目的とする。
【課題を解決するための手段】
【０００８】
本発明の画像形成装置は、原稿を読み取って画像データを取得する画像読取部と、前記画像データに基づいて用紙に画像を形成する画像形成部と、複数種類の前記用紙を収納する給紙カセットと、を備え、前記原稿に所定の給紙情報が付加されている場合に、前記画像データに基づいて前記給紙情報を読み取り、前記給紙情報に相当する前記用紙を前記給紙カセットから前記画像形成部へ搬送する一方、前記給紙情報に相当しない前記用紙を前記給紙カセットから前記画像形成部を経由することなく排紙するように前記用紙の搬送を制御することを特徴とする。
【０００９】
上記の画像形成装置は、前記給紙カセットから搬送される前記用紙の種類を検出する用紙種類センサーを更に備え、前記給紙情報は、前記用紙の種類を示していて、前記給紙情報と前記用紙判別センサーが検出した前記用紙の種類とを比較することで、前記給紙カセットから搬送される前記用紙が前記給紙情報に相当するか否かを判定するとよい。
【００１０】
上記の画像形成装置は、前記給紙情報が、前記給紙カセットにおける前記用紙の収納順を示していて、前記給紙カセットから搬送される前記用紙の搬送順に基づいて前記収納順を判定し、前記給紙カセットから搬送される前記用紙が前記給紙情報に相当するか否かを判定してもよい。
【００１１】
上記の画像形成装置は、前記給紙情報に相当しないと判定されて前記給紙カセットから排紙される前記用紙が所定の上限枚数に達した場合、前記給紙情報に相当する前記用紙の未検出をユーザーに通知してもよい。
【発明の効果】
【００１２】
本発明によれば、給紙カセットの設置数に拘らず、異なる種類の用紙を選択的に給紙することが可能となる。
【図面の簡単な説明】
【００１３】
【図１】本発明の一実施形態に係る複合機を概要的に示す断面図である。
【図２】本発明の一実施形態に係る複合機の電気的構成を示すブロック図である。
【図３】本発明の一実施形態に係る複合機における用紙選択モードのコピー動作で処理される原稿の例を示す平面図である。
【図４】本発明の一実施形態に係る複合機における用紙選択モードのコピー動作を示すフローチャートである。
【発明を実施するための形態】
【００１４】
先ず、本発明の実施形態に係る複合機１（画像形成装置）の全体の構成について図１を参照しながら説明する。以下、説明の便宜上、図１における紙面手前側を複合機１の前側とする。各図に適宜付される矢印Ｌ、Ｒ、Ｕ、Ｌｏは、それぞれ複合機１の左側、右側、上側、下側を示す。
【００１５】
複合機１は、略箱型状の装置本体２を備える。装置本体２内の下部には、画像形成に用いる用紙を収納する複数の給紙カセット３が設けられる。装置本体２の上部には、画像が形成された用紙が排紙される第１排紙トレイ４が設けられる。装置本体２の右側部には、複合機１の外側で用紙を収納する手差しトレイ５と、画像が未形成の用紙が排紙される第２排紙トレイ６が開閉可能に設けられる。本実施形態では、手差しトレイ５及び第２排紙トレイ６は、別々に設けられるが、共通の１つのトレイとして設けられてもよい。
【００１６】
装置本体２の上部には、原稿搬送及び画像読取等のスキャン動作を行う原稿読取装置７が設けられ、原稿読取装置７は、図１に示すように、原稿から画像を読み取る画像読取部８と、画像読取部８へ原稿を搬送する原稿搬送部９とを備える。画像読取部８及び原稿搬送部９において、主に左右方向が原稿の搬送方向であり、以下の説明では、この搬送方向を原稿の長さ方向とし、搬送方向に直交する方向（前後方向）を原稿の幅方向とする。
【００１７】
画像読取部８は、装置本体２の胴内空間の上方に配置され、装置本体２の上面に、原稿台となるプラテンガラス８ａと読取スリット８ｂとを備える。読取スリット８ｂは、左側に設けられ、プラテンガラス８ａは、読取スリット８ｂの右側に設けられる。また、画像読取部８は、プラテンガラス８ａ及び読取スリット８ｂの下方に光学走査ユニットや撮像部を備える。画像読取部８は、プラテンガラス８ａ上に載置された原稿又は原稿搬送部９から搬送されて読取スリット８ｂを通過する原稿に対して、主走査方向（前後方向）及び副走査方向（左右方向）に走査して原稿の画像を読み取って画像データを取得する。画像読取部８は、取得した画像データを制御部２０（図２参照）へ送信する。
【００１８】
原稿搬送部９は、画像読取部８の上方に配置され、原稿を搬送する機能に加えて、画像読取部８のプラテンガラス８ａや読取スリット８ｂ（装置本体２の上面）を覆うカバー部材として開閉可能に取り付けられる。原稿搬送部９は、画像読取前の原稿が載置される供給トレイ９ａと、画像読取後の原稿が排出される排出トレイ９ｂと、原稿を搬送する搬送機構９ｃとを備える。搬送機構９ｃは、読取スリット８ｂに対応して左側に設けられ、供給トレイ９ａは、搬送機構９ｃの上部から右方に延設され、排出トレイ９ｂは、搬送機構９ｃの下部から右方に延設される。搬送機構９ｃは、供給トレイ９ａ上の原稿を、読取スリット８ｂに対応する読取位置を経由して排出トレイ９ｂに送り出すように搬送する。
【００１９】
更に、装置本体２の上部には、操作表示部１０が正面側に取り付けられる。操作表示部１０は、例えば、テンキー、スタートキー、システムメニューキー、送信キー、コピーキー等の操作キーと、タッチパネル等の表示器とを備え、ユーザーからの操作入力を受け付ける。
【００２０】
装置本体２内の左部には、レーザー・スキャニング・ユニット（ＬＳＵ）で構成される露光部１１が配置され、装置本体２内の右部には、画像形成部１２が設けられる。画像形成部１２には、像担持体である感光体ドラムが回転可能に設けられる。感光体ドラムの周囲には、帯電部と、トナーコンテナに接続された現像部と、転写ローラーと、クリーニング部とが、感光体ドラムの回転方向に沿って配置される。
【００２１】
装置本体２内の右部には、下方から上方に向かって用紙の搬送経路１３が設けられ、搬送経路１３の右側には、両面印刷用の反転経路１４が設けられる。複合機１は、搬送経路１３及び反転経路１４に沿って、複数の搬送ローラーを備え、モーター等の駆動源１３ａ（図２参照）によって各搬送ローラーを回転駆動することで用紙を搬送する。
【００２２】
搬送経路１３の上流端には給紙部１５が給紙カセット３の近傍に設けられ、搬送経路１３の中流部には、感光体ドラム及び転写ローラーで構成される転写部１６が設けられる。搬送経路１３の下流部には定着部１７が設けられ、搬送経路１３の下流端には排紙部１８が第１排紙トレイ４の近傍に設けられる。また、搬送経路１３には、給紙部１５の下流側に用紙判別センサー１９が設けられる。用紙判別センサー１９は、給紙カセット３から給紙部１５によって給紙される用紙の種類を検出して判別するように構成され、例えば、用紙の地色を検出する色センサーで構成される。
【００２３】
反転経路１４は、搬送経路１３上の用紙の搬送方向において、定着部１７の下流側且つ排紙部１８の上流側で搬送経路１３から分岐し、給紙部１５の下流側且つ転写部１６の上流側で搬送経路１３に合流している。搬送経路１３上の用紙の搬送方向において、給紙部１５の下流側且つ転写部１６の上流側では、搬送経路１３が第２排紙トレイ６への経路に分岐し、また、手差しトレイ５からの経路が搬送経路１３に合流している。
【００２４】
次に、複合機１のコピー動作等に含まれる画像形成動作について説明する。複合機１では、画像読取部８や外部のコンピューター等から画像データが入力され、コピー開始や印刷開始を指示されると、画像形成動作を開始する。先ず、画像形成部１２において、感光体ドラムの表面が、帯電部によって帯電された後、露光部１１からのレーザー光により画像データに応じて露光され、感光体ドラムの表面に静電潜像が形成される。静電潜像は、現像部によってトナーを用いてトナー像に現像される。
【００２５】
一方、給紙カセット３に収納された用紙は、給紙部１５によって取り出されて搬送経路１３上を搬送される。搬送経路１３上の用紙は、所定のタイミングで転写部１６へ搬送され、転写部１６によって感光体ドラム上のトナー像が用紙に転写される。トナー像を転写された用紙は、定着部１７へ搬送され、定着部１７による加熱及び加圧によって用紙にトナー像が定着される。トナー像が定着された用紙は、排紙部１８から第１排紙トレイ４に排出される。
【００２６】
次に、上記の複合機１の電気的な構成について図２を参照しながら説明する。複合機１は、ＣＰＵ等からなる制御部２０と、ＲＯＭやＲＡＭ等からなる記憶部２１とを装置本体２の内部に備える。
【００２７】
制御部２０は、記憶部２１に格納された制御プログラムや制御用データに基づいて、制御部２０に接続された各部を制御する。例えば、制御部２０は、画像読取部８、原稿搬送部９、操作表示部１０、露光部１１、画像形成部１２、各搬送ローラーの駆動源１３ａ、給紙部１５及び用紙判別センサー１９等の複合機１の各部に接続されている。そして、制御部２０は、原稿搬送部９による原稿搬送や画像読取部８による画像読取等のスキャン動作、給紙カセット３に収納された用紙の搬送、画像形成動作等を制御する。また、制御部２０は、記憶部２１に記憶されるプログラムを実行することにより、給紙情報読取部２２及び選択搬送制御部２３として機能する。給紙情報読取部２２及び選択搬送制御部２３の詳細は後述する。
【００２８】
ところで、複合機１は、原稿搬送部９の供給トレイ９ａに載置された原稿のコピー動作を実行する場合、原稿搬送部９による原稿搬送及び画像読取部８による画像読取等のスキャン動作や、画像形成部１２等による画像形成動作を行う。このとき、複合機１は、コピー動作を実行する場合の給紙モードとして、通常モードと用紙選択モードとの何れかを、操作表示部１０を介した操作によって選択してよい。
【００２９】
通常モードでは、一つの給紙カセット３に一種類の用紙を収納しておいて、給紙カセット３に収納された用紙を順次、給紙する。用紙選択モードでは、一つの給紙カセット３に複数種類の用紙を収納しておいて、給紙カセット３に収納された複数種類の用紙から、所望の種類の用紙を選択して給紙する。また、用紙選択モードでは、所望の種類の用紙を選択して給紙するために、制御部２０が上記の給紙情報読取部２２や選択搬送制御部２３として動作する。
【００３０】
次に、複合機１の用紙選択モードのコピー動作について図４のフローチャートを参照しながら説明する。上記したように、用紙選択モードでは、ユーザーは、一つの給紙カセット３に複数種類の用紙を事前に収納しておく必要があり（ステップＳ１）、一例として、地色の異なる用紙を収納する。また、用紙選択モードでは、ユーザーは、給紙カセット３から給紙すべき用紙の種類を示す給紙情報を、コピー対象の原稿に事前に付加しておく必要がある。給紙情報は、文字や記号等で示され、原稿に印刷されてよく、手書きで原稿に書き込まれてもよく、又は付箋やテープ等に記載されて原稿に貼り付けられてもよい。なお、給紙情報は、後述するように、複合機１に事前に登録される。
【００３１】
ユーザーが、給紙情報を付加した原稿を原稿読取装置７にセットし（ステップＳ２）、例えば、原稿搬送部９の供給トレイ９ａに載置した後、操作表示部１０を操作してコピー開始を指示すると（ステップＳ３）、原稿読取装置７が稼働して原稿を読み取って画像データを取得する（ステップＳ４）。この原稿の画像データは、制御部２０へ送信され、給紙情報読取部２２が、この画像データに基づいて給紙情報を読み取って識別することで、給紙すべき用紙の種類を判定する（ステップＳ５）。
【００３２】
画像データに基づく給紙情報の読み取りについて具体的に説明する。複合機１は、原稿における給紙情報の付加位置を予め定義して記憶部２１に記憶しておいて、給紙情報読取部２２は、画像データの付加位置の画像に文字認識処理等を行うことで給紙情報を読み取る。例えば、給紙情報の付加位置は、図３に示すように、原稿の右下端として定義されてよく、又は他の端部として定義されてもよい。
【００３３】
用紙の種類の判定について具体的に説明する。複合機１は、用紙の種類毎に給紙情報を予め定義して記憶部２１に記憶しておいて、給紙情報読取部２２は、原稿の画像データから読み取った給紙情報が、予め定義した給紙情報の何れに対応するかを識別することで、用紙の種類を判定する。一例として、複合機１は、用紙の種類として用紙の各地色に対応する給紙情報を予め定義し、例えば、白色の用紙の給紙情報を文字「Ａ」、赤色の用紙の給紙情報を文字「Ｂ」、青色の用紙の給紙情報を文字「Ｃ」、黄色の用紙の給紙情報を文字「Ｄ」と定義する。例えば、図３に示すように、原稿の給紙情報として文字「Ａ」が記載されている場合、給紙情報読取部２２は、給紙すべき用紙は地色が白色の用紙であると判定する。なお、給紙情報読取部２２は、原稿の画像データから読み取った給紙情報を、給紙すべき用紙の給紙情報として記憶部２１に記憶してよい。
【００３４】
上記のようにして給紙すべき用紙が判別されると、選択搬送制御部２３は、給紙部１５を制御して、給紙カセット３から用紙を順次、搬送経路１３へ供給し（ステップＳ６）、用紙判別センサー１９を制御して、搬送経路１３へ供給された各用紙の種類を検出し（ステップＳ７）、例えば、各用紙の地色を検出する。
【００３５】
また、選択搬送制御部２３は、給紙情報読取部２２が読み取った給紙情報（例えば、用紙の地色）と、用紙判別センサー１９が検出した用紙の種類（例えば、用紙の地色）とを比較して用紙を判別する（ステップＳ８）。
【００３６】
読み取った給紙情報と検出した用紙の種類とが一致する場合（ステップＳ８：ＹＥＳ）、選択搬送制御部２３は、搬送経路１３へ供給されている用紙を給紙情報に相当する選択用紙として画像形成部１２や定着部１７へ搬送するように搬送経路１３の各搬送ローラーを制御する（ステップＳ９）。例えば、図３に示すように、原稿の給紙情報が文字「Ａ」を示して、給紙すべき用紙が白色の用紙である場合、選択搬送制御部２３は、給紙カセット３から給紙される用紙の地色が白色であれば、その用紙を画像形成部１２へ搬送するように制御する。そして、画像形成動作や定着動作を行うことにより、原稿読取装置７が取得した画像データを選択用紙に形成する。
【００３７】
一方、読み取った給紙情報と検出した用紙の種類とが一致しない場合（ステップＳ８：ＮＯ）、選択搬送制御部２３は、搬送経路１３へ供給されている用紙を給紙情報に相当しない未選択用紙として、画像形成部１２や定着部１７を経由することなく排紙するように搬送経路１３や反転経路１４の各搬送ローラーを制御する（ステップＳ１０）。
【００３８】
例えば、選択搬送制御部２３は、未選択用紙を第２排紙トレイ６へ排紙するように搬送経路１３の各搬送ローラーを制御してもよく、あるいは、未選択用紙を反転経路１４を経由して第１排紙トレイ４へ排紙するように搬送経路１３及び反転経路１４の各搬送ローラーを制御してもよい。なお、複合機１は、ユーザーによる操作表示部１０の操作に応じて、未選択用紙の排紙先を第１排紙トレイ４及び第２排紙トレイ６の何れかに選択させてもよい。
【００３９】
なお、反転経路１４は、通常、両面印刷時に用いられ、反転経路１４の各搬送ローラーは、定着部１７から出力された用紙をスイッチバックして反転経路１４へ入力し、搬送経路１３の搬送方向とは逆方向に搬送して、画像形成部１２の上流側で搬送経路１３へ出力するように制御される。しかし、用紙選択モードで用紙を第１排紙トレイ４へ排紙する際に反転経路１４が用いられる場合、反転経路１４の各搬送ローラーは、給紙カセット３から搬送経路１３へ供給された用紙を反転経路１４へ入力し、両面印刷時とは逆方向で、搬送経路１３の搬送方向と同方向に搬送して、排紙部１８へ出力するように制御される。
【００４０】
そして、読み取った給紙情報と検出した用紙の種類とが一致するまで、選択搬送制御部２３は、給紙カセット３から搬送経路１３への用紙の供給（ステップＳ６）や、給紙情報に基づく用紙の判別（ステップＳ７、Ｓ８）を繰り返す。また、複数の原稿のコピー動作を行う場合、未処理の原稿が原稿読取装置７に存在していれば（ステップＳ１０：Ｙｅｓ）、上記の一連の動作、即ち、原稿読取装置７による画像データの取得（ステップＳ４）から、給紙情報に相当する用紙の選択（ステップＳ８：Ｙｅｓ、ステップＳ９）、画像形成動作や定着動作までの動作を、各原稿に対して繰り返す。
【００４１】
なお、上記した実施形態では、複合機１は、原稿に付加した用紙の地色を示す給紙情報を読み取り、給紙カセット３から給紙された用紙の地色を判別して、給紙情報が示す地色の用紙を選択する例を説明したが、本発明はこの例に限定されない。例えば、他の実施形態では、複合機１は、原稿に付加した用紙の厚さを示す給紙情報を読み取り、給紙カセット３から給紙された用紙の厚さを判別して、給紙情報が示す厚さの用紙を選択するように構成されてもよい。この場合、複合機１は、用紙判別センサー１９として、用紙の厚さを検出する超音波センサー等を備えるとよい。
【００４２】
また、他の実施形態では、複合機１は、原稿に付加した用紙の収納順を示す給紙情報を読み取り、給紙カセット３から給紙される用紙の搬送順に基づいて収納順を判別して、給紙情報が示す収納順の用紙を選択するように構成されてもよい。この場合、複合機１は、給紙カセット３から給紙される用紙を計数するカウンタを備えてもよく、あるいは、選択搬送制御部２３が用紙を計数してもよい。
【００４３】
例えば、図３に示すように、原稿の給紙情報として文字「３」が記載されている場合、給紙情報読取部２２は、給紙すべき用紙は給紙カセット３において収納順が上から３枚目の用紙であると判定する。そして、選択搬送制御部２３は、給紙カセット３から１枚目及び２枚目に給紙される用紙を第１排紙トレイ４や第２排紙トレイ６へ排紙した後、給紙カセット３から３枚目に給紙される用紙を画像形成部１２へ搬送するように制御する。
【００４４】
なお、複合機１は、用紙の地色や厚さ、収納順等の給紙情報の内、一つの給紙情報を適用する場合に限定されず、二つ以上の給紙情報を組み合わせて適用してもよい。
【００４５】
また、複数の原稿について用紙選択モードでコピー動作を行う場合、給紙情報読取部２２は、先行の原稿から読み取った給紙情報を、後続の原稿に共通の給紙情報として、記憶部２１に記憶してもよい。この場合、選択搬送制御部２３は、共通の原稿の給紙情報を、先行の原稿のコピー動作の際に用紙を選択して搬送する場合だけでなく、後続の原稿のコピー動作の際に用紙を選択して搬送する場合にも利用する。なお、給紙情報読取部２２が後続の原稿から新たに給紙情報を読み取った場合、記憶部２１に記憶されていた共通の原稿の給紙情報は、後続の原稿の新たな給紙情報によって更新されてよい。
【００４６】
上記した実施形態では、複合機１は、給紙情報をコピー対象となる原稿に付加して用紙選択モードでのコピー動作を行う例を説明したが、本発明はこの例に限定されない。例えば、他の実施形態では、複合機１は、給紙情報をコピー対象となる原稿の直前の白紙原稿に付加して用紙選択モードでのコピー動作を行ってもよい。
【００４７】
この場合、先ず、原稿読取装置７が白紙原稿を読み取って画像データを取得し、給紙情報読取部２２が白紙原稿の画像データに基づいて給紙情報を読み取ると、白紙原稿の後続の原稿のコピー動作のために給紙情報が記憶部２１に記憶され、白紙原稿の画像データは削除される。そして、白紙原稿の後続の原稿に対して用紙選択モードでのコピー動作を行う場合、白紙原稿の給紙情報に基づいて、給紙カセット３から給紙される用紙を選択して画像形成部１２へ搬送する。なお、複数の原稿において給紙情報を付加する白色原稿は、１枚目の原稿に限定されず、給紙情報を変更する所望の位置に重ねられてよい。
【００４８】
本実施形態では、上記のように、複合機１（画像形成装置）は、原稿を読み取って画像データを取得する画像読取部８と、画像データに基づいて用紙に画像を形成する画像形成部１２と、複数種類の用紙を収納する給紙カセット３とを備える。そして、制御部２０（給紙情報読取部２２）は、原稿に所定の給紙情報が付加されている場合に、画像データに基づいて給紙情報を読み取る。また、制御部２０（選択搬送制御部２３）は、給紙情報に相当する用紙を給紙カセット３から画像形成部１２へ搬送する一方、給紙情報に相当しない用紙を給紙カセット３から画像形成部１２を経由することなく排紙するように用紙の搬送を制御する。
【００４９】
これにより、複合機１は、給紙カセット３を１つだけ備える場合でも、給紙カセット３に収納された複数種類の用紙から、所望の種類の用紙を選択して給紙することができる。そのため、複数の給紙カセット３を備える場合に比べて、コストを削減すると共に、設置スペースを縮小し、設置に掛かる手間を抑制することもできる。なお、ユーザーは、複雑な操作を必要とせず、原稿に給紙情報を付加するという簡易な手法によって、所望の種類の用紙を給紙させることができる。また、選択されない用紙は、画像形成部１２を経由することなく排紙されるので、汚れや皺が生じることがなく、給紙カセット３に再度収納して改めて使用することができる。このように、本発明によれば、給紙カセット３の設置数に拘らず、異なる種類の用紙を選択的に給紙することが可能となる。
【００５０】
例えば、複合機１は、給紙カセット３から搬送される用紙の種類を検出する用紙判別センサー１９を更に備える。この場合、給紙情報は、用紙の地色や厚さ等の種類を示している。そして、選択搬送制御部２３は、給紙情報と用紙判別センサー１９が検出した用紙の種類とを比較することで、給紙カセット３から搬送される用紙が給紙情報に相当するか否かを判定する。これにより、給紙カセット３から給紙される用紙の種類を確実に判別するので、給紙情報に相当する用紙を確実に判定することができる。
【００５１】
あるいは、複合機１において、給紙情報は、給紙カセット３における用紙の収納順を示している。そして、選択搬送制御部２３は、給紙カセット３から搬送される用紙の搬送順に基づいて収納順を判定し、給紙カセット３から搬送される用紙が給紙情報に相当するか否かを判定する。これにより、用紙判別センサー１９によって判別しにくい種類の用紙を給紙カセット３に収納している場合でも、所望の種類の用紙を選択して給紙することができる。例えば、複合機１では、未使用の用紙に限らず、使用済みの裏紙をコピー等の画像形成の対象にすることがあり、給紙カセット３に未使用の用紙や使用済みの裏紙を所定数だけ収納しておく場合がある。このような場合、未使用の用紙や使用済みの裏紙を選択的に給紙させることが可能となる。
【００５２】
なお、上記した実施形態では、選択搬送制御部２３は、給紙情報と用紙の種類とが一致するまで、給紙カセット３からの用紙の供給（ステップＳ６）や、給紙情報に基づく用紙の判別（ステップＳ７、Ｓ８）を繰り返す例を説明したが、本発明はこの例に限定されない。例えば、他の実施形態では、給紙情報と比較する用紙に所定の上限枚数を設定してもよい。
【００５３】
具体的には、選択搬送制御部２３は、給紙情報と用紙の種類とが一致することなく、第１排紙トレイ４や第２排紙トレイ６へ排紙した用紙の枚数を計数する。そして、排紙した用紙が所定の上限枚数に達した場合、選択搬送制御部２３は、給紙情報に相当する用紙の未検出を、操作表示部１０を介した警告画面やスピーカ（図示せず）を介した警報によって、ユーザーに通知する。これにより、原稿に付加した給紙情報に誤りがあった場合や、給紙すべき用紙が給紙カセット３に収納されていない場合に、用紙の検出が無限ループに陥ることを抑制することができる。
【００５４】
なお、本実施形態の説明は、本発明に係る画像形成装置の一例を示すものであって、本発明の技術範囲は、本実施形態に限定されるものではない。
【００５５】
本実施形態では、複合機１に本発明の構成を適用する場合について説明したが、他の異なる実施形態では、画像読取部８を備える他の画像形成装置に本発明の構成を適用することも可能である。
【符号の説明】
【００５６】
１  複合機（画像形成装置）
３  給紙カセット
４  第１排紙トレイ
６  第２排紙トレイ
７  原稿読取装置
８  画像読取部
１０  操作表示部
１２  画像形成部
１３  搬送経路
１４  反転経路
１７  定着部
１９  用紙判別センサー
２０  制御部
２２  給紙情報読取部
２３  選択搬送制御部
【図１】
2020134539.tif 000003
【図２】
2020134539.tif 000004
【図３】
2020134539.tif 000005
【図４】
2020134539.tif 000006